【手続補正書】
【提出日】平成19年10月17日(2007.10.17)
【手続補正１】
【補正対象書類名】明細書
【補正対象項目名】特許請求の範囲
【補正方法】変更
【補正の内容】
【特許請求の範囲】
【請求項１】
入力されるデータを記録する記録手段と、
前記入力されるデータに埋め込まれる付加情報を検出する検出手段と、
前記検出手段で検出された付加情報に基づいて前記記録手段を制御する記録制御手段と、
を備え、
前記データがセキュアな状態で入力されるか否かに応じて、前記検出手段により前記入力されるデータに埋め込まれる付加情報を検出するか否かが決定されていることを特徴とするデータ記録装置。
【請求項２】
請求項１において、
セキュアにデータが入力されるセキュア入力インターフェース手段と、
非セキュアにデータが入力される非セキュア入力インターフェース手段と、
を備えると共に、
前記セキュア入力インターフェース手段から入力されるデータを前記記録手段に供給する第１の経路と、
前記非セキュア入力インターフェース手段から入力されるデータを、前記検出手段により検出される付加情報に基づいて前記記録制御手段を制御することにより、前記記録手段への供給を制御する第２の経路と、
を備えることを特徴とするデータ記録装置。
【請求項３】
請求項１において、
セキュアにデータが入力されるセキュア入力インターフェース手段と、
非セキュアにデータが入力される非セキュア入力インターフェース手段と、
を備えると共に、
前記検出手段は、前記非セキュア入力インターフェース手段から入力されるデータのみから前記付加情報を検出する
ことを特徴とするデータ記録装置。
【請求項４】
請求項３において、
前記セキュア入力インターフェース手段から入力されるデータから、著作権管理情報を抽出する抽出手段と、
前記抽出手段で抽出された前記著作権管理情報に基づいて前記セキュア入力インターフェース手段から入力されるデータの記録を制御する別の記録制御手段と、
を備えることを特徴とするデータ記録装置。
【請求項５】
請求項１において、
前記入力されるデータの供給源であるメディアの種類を識別する識別手段を備え、
前記記録制御手段は、前記識別手段での識別結果に基づいて前記入力されるデータがセキュアか否かを判別すると共に、前記入力されるデータの記録を制御する
ことを特徴とするデータ記録装置。
【請求項６】
請求項１〜請求項５のいずれかにおいて、
前記付加情報は、電子透かし処理により前記データに埋め込まれていることを特徴とするデータ記録装置。
【請求項７】
入力されるデータがセキュアか否かに応じて、前記入力されるデータに埋め込まれる付加情報を検出するか否かを予め決定してあり、
前記付加情報の検出を行うときには、その検出結果により、前記入力されるデータの記録制御を行うようにする
ことを特徴とするデータ記録方法。
【請求項８】
入力されるデータを再生する再生手段と、
前記入力されるデータに埋め込まれる付加情報を検出する検出手段と、
前記検出手段で検出された付加情報に基づいて前記再生手段を制御する再生制御手段と、
を備え、
前記データがセキュアな状態で入力されるか否かに応じて、前記検出手段により前記入力されるデータに埋め込まれる付加情報を検出するか否かが決定されていることを特徴とするデータ再生装置。
【請求項９】
請求項８において、
セキュアにデータが入力されるセキュア入力インターフェース手段と、
非セキュアにデータが入力される非セキュア入力インターフェース手段と、
を備えると共に、
前記セキュア入力インターフェース手段から入力されるデータを前記再生手段に供給する第１の経路と、
前記非セキュア入力インターフェース手段から入力されるデータを、前記検出手段により検出される付加情報に基づいて前記再生制御手段を制御することにより、前記再生手段に選択的に供給する第２の経路と、
を備えることを特徴とするデータ再生装置。
【請求項１０】
請求項８において、
セキュアにデータが入力されるセキュア入力インターフェース手段と、
非セキュアにデータが入力される非セキュア入力インターフェース手段と、
を備えると共に、
前記検出手段は、前記非セキュア入力インターフェース手段から入力されるデータのみから前記付加情報を検出する
ことを特徴とするデータ再生装置。
【請求項１１】
請求項９において、
前記セキュア入力インターフェースから入力されるデータから、著作権管理情報を抽出する抽出手段と、
前記抽出手段で抽出された前記著作権管理情報に基づいて前記セキュア入力インターフェースから入力されるデータの再生を制御する別の再生制御手段と、
を備えることを特徴とするデータ再生装置。
【請求項１２】
請求項８において、
前記入力されるデータの供給源であるメディアの種類を識別する識別手段を備え、
前記再生制御手段は、前記識別手段での識別結果に基づいて前記入力されるデータがセキュアか否かを判別すると共に、前記入力されるデータの再生を制御する
ことを特徴とするデータ再生装置。
【請求項１３】
請求項８〜請求項１２のいずれかにおいて、
前記付加情報は、電子透かし処理により前記データに埋め込まれていることを特徴とするデータ再生装置。
【請求項１４】
入力されるデータがセキュアか否かに応じて、前記入力されるデータに埋め込まれる付加情報を検出するか否かを予め決定してあり、
前記付加情報の検出を行うときには、その検出結果により、前記入力されるデータの再生制御を行うようにする
ことを特徴とするデータ再生方法。
【請求項１５】
複数種類の外部入力インターフェース手段と、
前記外部入力インターフェース手段の種類に応じて、それぞれの外部入力インターフェース手段を通じて入力されるデータに対して設けるか否かが決定されており、設けると決定されている外部入力インターフェース手段を通じて入力されるデータに埋め込まれている付加情報を検出する付加情報検出手段と、
前記付加情報検出手段で前記付加情報が検出されたデータの記録を、前記付加情報の検出結果に応じて制御する記録制御手段と、
前記データの記録を実行するための記録手段と、
を備えることを特徴とするデータ記録装置。
【請求項１６】
複数種類の外部入力インターフェース手段を通じて入力されるデータを記録する方法であって、
前記外部入力インターフェース手段の種類に応じて、それぞれの外部入力インターフェース手段を通じて入力されるデータに対して、前記データに埋め込まれている付加情報の検出をするか否かが決定されており、
前記付加情報の検出をすると決定されている外部入力インターフェース手段を通じて入力されるデータについては、そのデータに埋め込まれている付加情報を検出し、
前記付加情報の検出結果に応じて前記データの記録制御を行う
ことを特徴とするデータ記録方法。
【請求項１７】
複数種類の外部入力インターフェース手段と、
前記外部入力インターフェース手段の種類に応じて、それぞれの外部入力インターフェース手段を通じて入力されるデータに対して設けるか否かが決定されており、設けると決定されている外部入力インターフェース手段を通じて入力されるデータに埋め込まれている付加情報を検出する付加情報検出手段と、
前記付加情報検出手段で前記付加情報が検出されたデータの再生を、前記付加情報の検出結果に応じて制御する再生制御手段と、
前記データの再生を実行するための再生手段と、
を備えることを特徴とするデータ再生装置。
【請求項１８】
複数種類の外部入力インターフェース手段を通じて入力されるデータを再生する方法であって、
前記外部入力インターフェース手段の種類に応じて、それぞれの外部入力インターフェース手段を通じて入力されるデータに対して、前記データに埋め込まれている付加情報の検出を行なうか否かが決定されており、
前記付加情報の検出を行なうと決定されている外部入力インターフェース手段を通じて入力されるデータについては、そのデータに埋め込まれている付加情報を検出し、
前記付加情報の検出結果に応じて前記データの再生制御を行う
ことを特徴とするデータ再生方法。
【請求項１９】
第１の記録媒体からデータを読み出し再生する再生系と、前記再生系からのデータを第２の記録媒体に記録する記録系とを備えるデータ記録再生装置において、
前記記録系に設けられ、前記第１の記録媒体から読み出したデータに埋め込まれている付加情報を検出する付加情報検出手段と、
前記記録系に設けられ、前記付加情報検出手段で検出された付加情報に基づいて記録を実行するかどうかを制御する記録制御手段と、
前記再生系から前記記録系に伝送されるデータの形態を識別する識別手段と、  前記識別手段での識別結果に基づいて、前記再生系からのデータについて、前記付加情報検出手段で前記付加情報の検出を行うかどうかを制御する制御手段と、
を備えるデータ記録再生装置。
【請求項２０】
第１の記録媒体からデータを読み出し再生する再生系と、前記再生系からのデータを第２の記録媒体に記録する記録系とを備えるデータ記録再生装置において、
前記記録系に設けられ、前記第１の記録媒体から読み出したデータに埋め込まれている付加情報を検出する付加情報検出手段と、
前記記録系に設けられ、前記付加情報検出手段で検出された付加情報に基づいて記録を実行するかどうかを制御する記録制御手段と、
前記第１の記録媒体の種類を識別する識別手段と、
前記識別手段での識別結果に基づいて、前記再生系からのデータについて、前記付加情報検出手段で前記付加情報の検出を行うかどうかを制御する制御手段と、
を備えるデータ記録再生装置。
【請求項２１】
第１の記録媒体からデータを読み出して再生系において再生し、その再生されたデータを記録系を介して第２の記録媒体に記録するようにするデータ記録再生方法において、
前記再生系から前記記録系に伝送されるデータの形態を識別し、
前記データの形態の識別結果に基づいて、前記再生系からのデータについて、前記付加情報の検出を行うかどうかを制御し、
前記付加情報の検出を行なう場合には、検出された付加情報に基づいて記録を実行するかどうかを制御する
ことを特徴とするデータ記録再生方法。
【請求項２２】
第１の記録媒体からデータを読み出して再生系において再生し、その再生されたデータを記録系を介して第２の記録媒体に記録するようにするデータ記録再生方法において、
前記第１の記録媒体の種類を識別し、
前記第１の記録媒体の種類の識別結果に基づいて、前記再生系からのデータについて、前記付加情報の検出を行うかどうかを制御し、
前記付加情報の検出を行なう場合には、検出された付加情報に基づいて記録を実行するかどうかを制御する
ことを特徴とするデータ記録再生方法。
【手続補正２】
【補正対象書類名】明細書
【補正対象項目名】００３３
【補正方法】変更
【補正の内容】
【００３３】
請求項１５の発明は、
複数種類の外部入力インターフェース手段と、
前記外部入力インターフェース手段の種類に応じて、それぞれの外部入力インターフェース手段を通じて入力されるデータに対して設けるか否かが決定されており、設けると決定されている外部入力インターフェース手段を通じて入力されるデータに埋め込まれている付加情報を検出する付加情報検出手段と、
前記付加情報検出手段で前記付加情報が検出されたデータの記録を、前記付加情報の検出結果に応じて制御する記録制御手段と、
前記データの記録を実行するための記録手段と、
を備えることを特徴とする。
【手続補正３】
【補正対象書類名】明細書
【補正対象項目名】００３４
【補正方法】変更
【補正の内容】
【００３４】
この請求項１５の発明によれば、外部入力インターフェース手段の種類に応じて、その外部入力インターフェース手段を通ったデータについて、付加情報検出手段によって付加情報を検出するか否かをが予め設定される。
【手続補正４】
【補正対象書類名】明細書
【補正対象項目名】００３５
【補正方法】変更
【補正の内容】
【００３５】
すなわち、例えば、外部入力インターフェースが認証が可能な装置からのデータを受けるもの、セキュアなインターフェース手段である場合には、付加情報検出手段による付加情報の検出を省略しても差し支えないので、そのように設定する。一方、認証ができなかったり、非セキュアなインターフェース手段である場合には、いわゆる出処進退が定かでないとして、付加情報検出手段により付加情報を検出して、その検出結果により、記録を制御するようにすることができる。
【手続補正５】
【補正対象書類名】明細書
【補正対象項目名】００３６
【補正方法】削除
【補正の内容】
【手続補正６】
【補正対象書類名】明細書
【補正対象項目名】００３７
【補正方法】削除
【補正の内容】
【手続補正７】
【補正対象書類名】明細書
【補正対象項目名】００３８
【補正方法】削除
【補正の内容】
【手続補正８】
【補正対象書類名】明細書
【補正対象項目名】００３９
【補正方法】削除
【補正の内容】
【手続補正９】
【補正対象書類名】明細書
【補正対象項目名】００４０
【補正方法】削除
【補正の内容】
【手続補正１０】
【補正対象書類名】明細書
【補正対象項目名】００４１
【補正方法】削除
【補正の内容】